(57)【特許請求の範囲】
【請求項１】
スクロールホイールモジュールを備えるマウス装置であって、
前記スクロールホイールモジュールは、長軸と、スクロールホイールと、エンコーダーホイールと、スイッチユニットとを含み、
前記スクロールホイール及び前記エンコーダーホイールはそれぞれ前記長軸の両側に配置され、前記エンコーダーホイールは第１のコード溝モジュールと第２のコード溝モジュールとを有し、
前記スイッチユニットは第１のスイッチと第２のスイッチとを有し、前記第１のスイッチは前記第１のコード溝モジュールに係合するように配置され、前記第２のスイッチは前記第２のコード溝モジュールに係合するように配置され、前記第１のコード溝モジュールは第１の溝数を有する複数の第１のコード溝を含み、前記第２のコード溝モジュールは第２の溝数を有する複数の第２のコード溝を含み、前記第１のコード溝の第１の溝数と前記第２のコード溝の第２の溝数とは異なる、ことを特徴とするマウス装置。
【請求項２】
ホルダーモジュールをさらに含み、前記スクロールホイールモジュールは前記ホルダーモジュールに配置され、前記スクロールホイールモジュール及び前記ホルダーモジュールは前記マウス装置に配置される、請求項１に記載のマウス装置。
【請求項３】
上カバーと下カバーとをさらに有し、
前記上カバーは第１の開口を有し、
前記下カバーは第２の開口を有し、前記第２の開口により前記スイッチユニットにおけるスイッチが収容され、
前記上カバーは前記下カバーの上方に配置し、それによって前記スクロールホイールモジュール及び前記ホルダーモジュールを収容する収容空間を形成する、請求項２に記載のマウス装置。
【請求項４】
プロセッサをさらに含み、前記プロセッサはプリント回路板に配置され、
前記スクロールホイールモジュールはスクロールホイール信号発生器をさらに含み、前記スクロールホイール信号発生器は前記プロセッサに電気的に接続され、
前記長軸は前記スクロールホイール信号発生器に配置され、
前記スクロールホイールが回転した時、前記スクロールホイール信号発生器は前記スクロールホイールが回転する角速度、角度及び回転方向に基づいてスクロールホイール信号を前記プロセッサに送信し、前記プロセッサは前記スクロールホイール信号に基づいて計算機装置にスクロールホイール制御信号を送信する、請求項１に記載のマウス装置。
【請求項５】
前記ホルダーモジュールは第１のホルダーと第２のホルダーとを有し、前記第１のホルダーは前記スクロールホイールの片側に配置され、前記第２のホルダーは前記スクロールホイールと前記エンコーダーホイールとの間に配置される、請求項２に記載のマウス装置。
【請求項６】
前記スイッチユニットは前記エンコーダーホイールの下方に配置される、請求項１に記載のマウス装置。
【請求項７】
前記第１のコード溝及び前記第２のコード溝はそれぞれ半球状に形成される、請求項１に記載のマウス装置。
【請求項８】
マウス装置に配置されるスクロールホイールモジュールであって、
前記スクロールホイールモジュールは、スクロールホイールと、長軸と、エンコーダーホイールと、スイッチユニットとを含み、
前記スクロールホイールは前記長軸の一方の側に配置され、
前記エンコーダーホイールは前記長軸の他方の側に配置され、前記エンコーダーホイールと前記スクロールホイールは所定の間隔をおいて配置され、前記エンコーダーホイールは第１のコード溝モジュールと第２のコード溝モジュールとを有し、前記第１のコード溝モジュール及び前記第２のコード溝モジュールは近接して配置され、前記第１のコード溝モジュールは複数の第１のコード溝を含み、前記第２のコード溝モジュールは複数の第２のコード溝を含み、前記第１のコード溝の溝数と前記第２のコード溝の溝数とは異なり、
前記スイッチユニットは第１のスイッチと第２のスイッチとを有し、前記第１のスイッチは前記第１のコード溝モジュールにおける複数の第１のコード溝に係合するように配置され、前記第２のスイッチは前記第２のコード溝モジュールにおける複数の第２のコード溝に係合するように配置される、ことを特徴とするスクロールホイールモジュール。
【請求項９】
スクロールホイールモジュールと、ホルダーモジュールとを備えるマウス装置であって、
前記スクロールホイールモジュールは、長軸と、スクロールホイールと、エンコーダーホイールと、スイッチユニットとを含み、前記エンコーダーホイールは少なくとも２つのコード溝モジュールを有し、前記少なくとも２つのコード溝モジュールは近接して配置され、前記エンコーダーホイールと前記スクロールホイールは所定の間隔をおいて前記長軸の両側に配置され、
前記スイッチユニットは少なくとも第１のスイッチ及び第２のスイッチを含み、
前記スクロールホイールモジュールは前記ホルダーモジュールに配置され、前記スクロールホイールモジュール及び前記ホルダーモジュールは前記マウス装置に配置され、
前記スイッチユニットが異なる状態に切り替えられると、前記第１のスイッチ及び前記第２のスイッチのうちの一方は、対応する前記コード溝モジュールに係合するように配置され、前記マウス装置は前記スクロールホイールモジュールの設定により、少なくとも２種類のスクロールホイール制御信号を提供する、ことを特徴とするマウス装置。
【請求項１０】
前記スイッチユニットは、第１の状態と、第２の状態と、第３の状態に切り替えられ、
前記少なくとも２つのコード溝モジュールは、第１のコード溝モジュールと第２のコード溝モジュールとを含み、前記第１のコード溝モジュールは、第１の溝数を有する複数の第１のコード溝を含み、前記第２のコード溝モジュールは、第２の溝数を有する複数の第２のコード溝を含み、
前記スイッチユニットが前記第１の状態にある時、前記第１のスイッチは前記第１のコード溝モジュールに係合し、前記第２のスイッチは前記第２のコード溝モジュールに係合せず、前記マウス装置は第１の段数のスクロールホイール制御信号を計算機装置に送信し、前記第１の段数と前記第１の溝数とは同じであり、
前記スイッチユニットが前記第２の状態にある時、前記第１のスイッチは前記第１のコード溝モジュールに係合せず、前記第２のスイッチは前記第２のコード溝モジュールに係合し、前記マウス装置は第２の段数のスクロールホイール制御信号を前記計算機装置に送信し、前記第２の段数と前記第２の溝数とは同じであり、
前記スイッチユニットが前記第３の状態にある時、前記第１のスイッチは前記第１のコード溝モジュールに係合せず、前記第２のスイッチも前記第２のコード溝モジュールに係合せず、前記マウス装置は第３の段数のスクロールホイール制御信号を前記計算機装置に送信する、請求項９に記載のマウス装置。
【請求項１１】
前記第３の段数は段数なしとなる、請求項１０に記載のマウス装置。
【発明の詳細な説明】
【技術分野】
【０００１】
本発明はマウス装置及びスクロールホイールモジュールに関し、特に、多種類の段数を有するマウス装置及びスクロールホイールモジュールに関する。
【背景技術】
【０００２】
既存のマウスにおいては、スクロールホイールの段数の切替えはスクロールホイールを押し下げることで行うが、マウスの構造が複雑となりコストがかかる。
【０００３】
そのため、構造が簡単で低コストなスクロールホイールの段数切替え機能を具備するマウス装置を提供することは、業界において重要な課題であった。
【発明の概要】
【発明が解決しようとする課題】
【０００４】
本発明が解決しようとする課題は、従来技術の不足を補うため、マウス装置及びスクロールホイールモジュールを提供することである。
【課題を解決するための手段】
【０００５】
本発明が提供するマウス装置は、スクロールホイールモジュールを備えるマウス装置である。前記スクロールホイールモジュールは長軸と、スクロールホイールと、エンコーダーホイールと、スイッチユニットとを含む。前記スクロールホイール及び前記エンコーダーホイールはそれぞれ、前記長軸の両側に配置され、前記エンコーダーホイールは第１のコード溝モジュールと第２のコード溝モジュールとを有する。前記スイッチユニットは第１のスイッチと第２のスイッチとを有する。前記第１のスイッチは前記第１のコード溝モジュールに係合するように配置され、前記第２のスイッチは前記第２のコード溝モジュールに係合するように配置される。前記第１のコード溝モジュールは、第１の溝数を有する複数の第１のコード溝を含み、前記第２のコード溝モジュールは、第２の溝数を有する複数の第２のコード溝を含む。前記第１のコード溝の第１の溝数と前記第２のコード溝の第２の溝数とは異なる。
【０００６】
また、本発明が提供するスクロールホイールモジュールは、マウス装置に配置されるスクロールホイールモジュールである。前記スクロールホイールモジュールはスクロールホイールと、長軸と、エンコーダーホイールと、スイッチユニットとを含む。前記長軸は前記スクロールホイールの中央部分に配置される。前記スクロールホイールは前記長軸の一方の側に配置される。前記エンコーダーホイールは前記長軸の他方の側に配置される。前記エンコーダーホイールと前記スクロールホイールは所定の間隔をおいて配置される。前記エンコーダーホイールは第１のコード溝モジュールと第２のコード溝モジュールとを有する。前記第１のコード溝モジュール及び前記第２のコード溝モジュールは近接して配置される。前記第１のコード溝モジュールは複数の第１のコード溝を含み、前記第２のコード溝モジュールは複数の第２のコード溝を含む。前記第１のコード溝の溝数と前記第２のコード溝の溝数とは異なる。前記スイッチユニットは第１のスイッチと第２のスイッチとを有する。前記第１のスイッチは前記第１のコード溝モジュールにおける複数の第１のコード溝に係合するように配置され、前記第２のスイッチは前記第２のコード溝モジュールにおける複数の第２のコード溝に係合するように配置される。
【０００７】
本発明はさらにマウス装置を提供する。前記マウス装置はスクロールホイールモジュールと、ホルダーモジュールとを含むマウス装置である。前記スクロールホイールモジュールは長軸と、スクロールホイールと、エンコーダーホイールと、スイッチユニットとを含み、前記エンコーダーホイールは少なくとも２つのコード溝モジュールを有する。前記少なくとも２つのコード溝モジュールは近接して配置される。前記エンコーダーホイールと前記スクロールホイールは所定の間隔をおいて前記長軸の両側に配置される。前記スイッチユニットは少なくとも２つのスイッチを含む。前記スクロールホイールモジュールは前記ホルダーモジュールに配置される。前記スクロールホイールモジュール及び前記ホルダーモジュールは前記マウス装置に配置される。前記スイッチユニットが異なる状態に切り替えられると、前記少なくとも２つのスイッチにおける一つのスイッチは、対応する前記コード溝モジュールに係合するように配置され、前記マウス装置は前記スクロールホイールモジュールの設定により、少なくとも２種類のスクロールホイール制御信号を提供する。
【発明の効果】
【０００８】
本発明による有益な効果の一つは、本発明のスクロールホイールモジュールはエンコーダーホイールによって、多種類の段数のスクロールホイール信号を提供する。構造及び組立ては共に簡単であるため、効果的にコストを下げることができる。
【図面の簡単な説明】
【０００９】
【図１】本発明の実施形態にかかるマウス装置を示す模式図である。
【図２】本発明の実施形態にかかるスクロールホイールモジュール、下カバー及びプリント回路板を示す模式図である。
【図３】本発明の実施形態にかかるスクロールホイールモジュール、下カバー及びプリント回路板を示す上面図である。
【図４】本発明の実施形態にかかるスクロールホイールモジュール及び下カバーを示す分解図である。
【図５】本発明の実施形態にかかるスイッチモジュールを示す模式図である。
【図６】図３の断面線ＶＩ−ＶＩに沿った本発明の実施形態にかかるスクロールホイールモジュールを示す断面図である。
【図７】図３の断面線ＶＩＩ−ＶＩＩに沿った本発明の実施形態にかかるスクロールホイールモジュールを示す断面図である。
【発明を実施するための形態】
【００１０】
本発明の特徴及び技術内容がより一層分かるように、以下の本発明に関する詳細な説明と添付図面を参照する。しかし、提供される添付図面は参考と説明のために提供するものに過ぎず、本発明の特許請求の範囲を制限するものではない。
【００１１】
下記より、具体的な実施形態で本発明が開示する「マウス装置及びスクロールホイールモジュール」を説明する。当業者は本明細書の公開内容により本発明のメリット及び効果を理解し得る。本発明は他の異なる実施形態により実行又は応用できる。本明細書における各細節も様々な観点又は応用に基づいて、本発明の精神を逸脱しない限りにおいて、均等の変形と変更を行うことができる。また、本発明の図面は簡単で模式的に説明するためのものであり、実際的な寸法を示すものではない。以下の実施形態において、さらに本発明に係る技術事項を説明するが、公開された内容は本発明を限定するものではない。なお、本明細書において「第１」、「第２」、「第３」等の用語で各種の部品又は信号を説明する可能性があるが、これらの部品又は信号はこれらの用語によって制限されるものではない。これらの用語は、主として一つの部品と別の部品、又は一つの信号と別の信号を区分するためのものであることを理解されたい。また、本明細書に用いられる「または」という用語は、実際の状況に応じて、関連する項目中の何れか一つ又は複数の組合せを含み得る。
【００１２】
［第１の実施形態］
図１、図２、図３、図４、図５、図６及び図７を参照されたい。図１は本発明の実施形態によるマウス装置を示す模式図である。図２は本発明のスクロールホイールモジュール、下カバー及びプリント回路板を示す模式図である。図３は本発明のスクロールホイールモジュール、下カバー及びプリント回路板を示す上面図である。図４は本発明のスクロールホイールモジュール及び下カバーを示す分解図である。図５は本発明のスイッチモジュールを示す模式図である。図６は図３の断面線ＶＩ−ＶＩに沿った本発明のスクロールホイールモジュールを示す断面図である。図７は図３の断面線ＶＩＩ−ＶＩＩに沿った本発明のスクロールホイールモジュールを示す断面図である。
【００１３】
マウス装置１は上カバー１１及び下カバー１０を含む。上カバー１１は下カバー１０の上方に配置され、それによって他の構成要素を収容する収容空間を形成する。マウス装置１はさらにプロセッサ１９とプリント回路板１２とを含む。プロセッサ１９はプリント回路板１２に配置される。プリント回路板１２は下カバー１０に配置される。
【００１４】
マウス装置１はさらにスクロールホイールモジュール１３及びホルダーモジュール１４を含む。スクロールホイールモジュール１３はスクロールホイール１３０と、長軸１３１と、エンコーダーホイール１３２と、スイッチユニット１３３とを有する。
【００１５】
スクロールホイール１３０及びエンコーダーホイール１３２はそれぞれ、長軸１３１の両側に配置される。すなわち、スクロールホイール１３０は長軸１３１を収容する孔（未図示）を有し、長軸１３１の一方の側に配置される。エンコーダーホイール１３２も長軸１３１を収容する孔１３２３を有し、スクロールホイール１３０に相対して長軸１３１の他方の側に配置される。
【００１６】
エンコーダーホイール１３２は第１のコード溝モジュール１３２１及び第２のコード溝モジュール１３２２を有する。
【００１７】
図５に示すように、スイッチユニット１３３は第１のスイッチ１３３３及び第２のスイッチ１３３４を含む。第１のスイッチ１３３３は第１のコード溝モジュール１３２１に係合するように配置される。第２のスイッチ１３３４は第２のコード溝モジュール１３２２に係合するように配置される。第１のコード溝モジュール１３２１は第１の溝数を有する複数の第１のコード溝（未図示）を含む。第２のコード溝モジュール１３２２は第２の溝数を有する複数の第２のコード溝（未図示）を含む。第１の溝数と第２の溝数とは異なる。本実施形態において、第１のコード溝モジュール１３２１は１２の第１のコード溝（未図示）を有する。第２のコード溝モジュール１３２２は２４の第２のコード溝（未図示）を有する。他の実施形態において、第１の溝数及び第２の溝数は需要により設計変更ができ、これに制限されない。第１のコード溝モジュール１３２１及び第２のコード溝モジュール１３２２は近接して配置される。
【００１８】
第１のスイッチ１３３３及び第２のスイッチ１３３４はそれぞれ、突出した部材である。エンコーダーホイール１３２がスクロールホイールと連動して回転する時、第１のスイッチ１３３３及び第２のスイッチ１３３４はそれぞれ、第１のコード溝モジュール１３２１の第１のコード溝（未図示）及び第２のコード溝モジュール１３２２の第２のコード溝（未図示）に係合する。本実施形態において、スイッチユニット１３３はエンコーダーホイール１３２の下方に配置される。また、スイッチユニット１３３はさらに、ハウジング１３３１及びスイッチ１３３２を有する。ハウジング１３３１は第１のスイッチ１３３３及び第２のスイッチ１３３４を収容する。
【００１９】
スイッチ１３３２はハウジング１３３１の下方に配置される。スイッチ１３３２の異なる位置の切替えにより、第１のスイッチ１３３３または第２のスイッチ１３３４のどちらをハウジング１３３１から突出させ、第１のコード溝モジュール１３２１または第２のコード溝モジュール１３２２に係合させるかを決めることができる。第１のコード溝（未図示）及び第２のコード溝（未図示）はそれぞれ半球状に形成される。
【００２０】
本実施形態において、スクロールホイールモジュール１３はホルダーモジュール１４に配置される。スクロールホイールモジュール１３及びホルダーモジュール１４はマウス装置１に配置される。
【００２１】
図２に示すように、ホルダーモジュール１４は第１のホルダー１４１及び第２のホルダー１４２を含む。第１のホルダー１４１はスクロールホイール１３０の片側に配置される。第２のホルダー１４２はスクロールホイール１３０とエンコーダーホイール１３２との間に配置される。すなわち、長軸１３１は第１のホルダー１４１及び第２のホルダー１４２に配置される。これにより、スクロールホイール１３０及びエンコーダーホイール１３２が回転する空間を確保する。
【００２２】
図６及び図７に示すように、スイッチユニット１３３は第１の状態及び第２の状態を含む。すなわち、スイッチ１３３２は図６における第１の位置及び図７における第２の位置に切り替えられる。
【００２３】
スイッチユニット１３３が第１の状態にある時、前記第１のスイッチ１３３３は第１のコード溝モジュール１３２１に係合し、第２のスイッチ１３３４は第２のコード溝モジュール１３２２に係合しない。マウス装置１は第１の段数のスクロールホイール制御信号を計算機装置（未図示）に提供する。スクロールホイール制御信号における第１の段数は第１の溝数に等しい。すなわち、スクロールホイール１３０は回転する時、エンコーダーホイール１３２の第１のコード溝モジュール１３２１と第１のスイッチ１３３３との係合による影響を受ける。
【００２４】
スイッチユニット１３３が第２の状態にある時、第１のスイッチ１３３３は第１のコード溝モジュール１３２１に係合せず、第２のスイッチ１３３４は第２のコード溝モジュール１３２２に係合する。マウス装置１は第２の段数のスクロールホイール制御信号を計算機装置（未図示）に提供する。スクロールホイール制御信号における第２の段数は第２の溝数に等しい。すなわち、スクロールホイール１３０が回転する時、エンコーダーホイール１３２の第２のコード溝モジュール１３２２と第２のスイッチ１３３４との係合による影響を受ける。
【００２５】
他の実施形態において、スイッチユニット１３３はさらに、第３の状態を含むことができる。すなわち、スイッチユニット１３３が第３の状態にある時、第１のスイッチ１３３３は第１のコード溝モジュール１３２１に係合せず、第２のスイッチ１３３４も第２のコード溝モジュール１３２２に係合しない。マウス装置１は第３の段数のスクロールホイール制御信号を計算機装置（未図示）に提供する。この場合、第３の段数は段数なしとなる。すなわち、スクロールホイール１３０が回転する時、制限を受けない。エンコーダーホイール１３２はさらに、２種類以上のコード溝モジュールを含むことができ、例えば３種類または４種類のコード溝モジュールを含むことができる。本発明は特に制限しない。
【００２６】
すなわち、本実施形態において、スイッチユニット１３３は異なる状態に切り替えられるように配置される。スイッチユニット１３３における２つのスイッチはそれぞれ、エンコーダーホイール１３２における２つのコード溝モジュールに係合する。マウス装置１はスクロールホイールモジュール１３の設定により、少なくとも２種類の段数のスクロールホイール制御信号を提供することができる。
【００２７】
また、前記上カバー１１は第１の開口を有し、第１の開口によりスクロールホイール１３０が収容される。
【００２８】
前記下カバー１０は第２の開口１０１を有し、第２の開口によりスイッチユニットのスイッチが収容される。
【００２９】
スクロールホイールモジュール１３はさらに、プロセッサ１９に電気的に接続されるスクロールホイール信号発生器１３４を含み、長軸１３１はスクロールホイール信号発生器１３４に配置される。スクロールホイール１３０が回転した時、スクロールホイール信号発生器１３４はスクロールホイール１３０が回転する角速度と、角度と、回転方向とに基づいてスクロールホイール信号をプロセッサ１９に送信する。プロセッサ１９はスクロールホイール信号に基づいて、スクロールホイール制御信号を計算機装置（未図示）に送信する。
【００３０】
［実施形態による有益な効果］
本発明の実施形態による有益な効果の一つとして、本発明の実施形態にかかるスクロールホイールモジュールはエンコーダーホイールによって、多種類の段数のスクロールホイール信号を提供できる。構造及び組立ては共に簡単であるため、効果的にコストを下げることができる。
【００３１】
以上に開示される内容は本発明の好ましい実施可能な実施形態に過ぎず、これにより本発明の特許請求の範囲を制限するものではない。そのため、本発明の明細書及び添付図面の内容に基づき為された等価の技術変形は、全て本発明の特許請求の範囲に含まれるものとする。
【符号の説明】
【００３２】
１：マウス装置
１０：下カバー
１１：上カバー
１２：プリント回路板
１３：スクロールホイールモジュール
１４：ホルダーモジュール
１９：プロセッサ
１０１：第２の開口
１３０：スクロールホイール
１３１：長軸
１３２：エンコーダーホイール
１３３：スイッチユニット
１３４：スクロールホイール信号発生器
１４１：第１のホルダー
１４２：第２のホルダー
１３２１：第１のコード溝モジュール
１３２２：第２のコード溝モジュール
１３２３：孔
１３３１：ハウジング
１３３２：スイッチ
１３３３：第１のスイッチ
１３３４：第２のスイッチ
ＶＩ−ＶＩ：断面線
ＶＩＩ−ＶＩＩ：断面線
【図１】
0006981632.tif 000002
【図２】
0006981632.tif 000003
【図３】
0006981632.tif 000004
【図４】
0006981632.tif 000005
【図５】
0006981632.tif 000006
【図６】
0006981632.tif 000007
【図７】
0006981632.tif 000008